(57)【特許請求の範囲】
【請求項１】
起倒及び上下動可能な歯科用治療椅子と、該治療椅子のいずれか一方の側に配設されたスピットンとを備えた歯科用治療ユニットにおいて、前記治療椅子の前記スピットンが配設された側の側方に回動可能に立設された垂直部と該垂直部の上部において水平に延長する水平部とを有するＬ字形の手摺部材を有し、該手摺部材は、前記水平部が前記治療椅子のレッグレスト部上側を該治療椅子に対して略直角の方向に延長する第１の位置と、前記治療椅子の側方に平行に延長する第２の位置との間で回動可能でかつ前記第１の位置及び第２の位置でロック可能である歯科用治療ユニットにおいて、前記Ｌ字形の手摺部材の垂直部下端は、スプリング部材によって下方に向けて押圧され、かつ、前記第１及び第２の位置で回動不可にロックされており、該垂直部を引き上げることで前記ロックが解除されて回動可能となることを特徴とする歯科用治療ユニット。
【発明の詳細な説明】
【０００１】
【発明の属する技術分野】
本発明は、歯科用治療ユニット、より詳細には、身障者，老人等が歯科治療椅子に乗降する時に、また、治療途中で、洗口（うがい）する時に、身体を安全に支えることのできる手摺部材を備えた歯科用治療ユニットに関する。
【０００２】
【従来の技術】
図４は、本発明が適用される歯科用治療ユニットの一例を示す全体構成図で、図中、１０は歯科用治療ユニットで、該ユニット１０は、治療椅子１，ワークテーブル２，スピットン３，無影灯４，インスツルメントホルダー５，フットスイッチ６，アシスタント用インスツルメントホルダー７等から成り、インスツルメントホルダー５には、歯科治療において使用する種々のインスツルメント８が収納されており、周知のように、歯科治療に当たり、患者は椅子に座り、頭を安頭台９に固定して治療を受ける。治療中、術者は治療椅子１を上下動，起倒，傾斜動等させて、患者を治療しやすい姿勢にして治療を行う。
【０００３】
【発明が解決しようとする課題】
上述のごとき歯科用治療ユニットにおいて、患者は、自力で治療椅子１に乗降しなければならないが、その際、身障者，老人等は、まわりに身体を支えるものがないため、非常に不安定で、危険であった。同様に、治療途中で時々行う洗口（うがい）時にも、身体を支えるものがなく、非常に不安定で、危険であった。
【０００４】
本発明は、上述のごとき実情に鑑みてなされたもので、特に、身障者や老人等が安定に乗降でき、かつ、安心して（安定した状態で）うがいができるようにした歯科用治療ユニットを提供することを目的としてなされたものである。
【０００５】
【課題を解決するための手段】
請求項１の発明は、起倒及び上下動可能な歯科用治療椅子と、該治療椅子のいずれか一方の側に配設されたスピットンとを備えた歯科用治療ユニットにおいて、前記治療椅子の前記スピットンが配設された側の側方に回動可能に立設された垂直部と該垂直部の上部において水平に延長する水平部とを有するＬ字形の手摺部材を有し、該手摺部材は、前記水平部が前記治療椅子のレッグレスト上側を該治療椅子に対して略直角の方向に延長する第１の位置と、前記治療椅子の側方に平行に延長する第２の位置との間で回動可能でかつ前記第１の位置及び第２の位置でロック可能であり、前記Ｌ字形の手摺部材の垂直部下端が、スプリング部材によって下方に向けて押圧され、かつ、前記第１及び第２の位置で回動不可にロックされており、該垂直部を引き上げることで前記ロックが解除されて回動可能となることを特徴としたものである。
【０００８】
【発明の実施の形態】
図１は、本発明による歯科用治療ユニットの一実施例を説明するための要部概略構成図で、図中、１は歯科治療椅子、３はスピットンで、これらは、図４において説明したように、従来より周知のものであり、スピットン３は、治療椅子１と一体（チェアマウント）でもよいし、別体でもよい。２０は本発明によって付加された手摺部材で、該手摺部材２０は、垂直部２０１と水平部２０２とによりＬ字形に形成されており、垂直部２０１は、治療椅子１のいずれか一方（スピットンが配設されている側）の側部にチェアマウントで回動可能に立設されている。
【０００９】
手摺部材２０は、図１中に実線にて示す第１の位置、すなわち、手摺部材２０の水平部２０２が治療椅子１のレッグレスト１１部上方において、該治療椅子１を横切る方向に略直角に延長する位置Ａと、図１中に破線にて示す第２の位置、すなわち、手摺部材２０の水平部２０２が治療椅子１の側方で該治療椅子１と平行に延長する位置Ｂとの間で回転可能であり、前記第１及び第２の位置で回動不可にロックされるようになっている。
【００１０】
従って、患者は、治療椅子１に乗降する時は、治療椅子１のレッグレスト部１１を、図１中に鎖線にて示すように、下した状態にし、この状態で、手摺部材２０の水平部２０２を図１の実線位置（第１の位置）に固定する。患者は、この状態で、手摺部材２０の水平部２０２に掴まり、該水平部２０２と椅子１との間の空間に脚部を挿入し、その後、身体をずらして中央の適切な位置に移動する。その後、患者は治療椅子１の上に寝状態になるので、術者又はアシスタントは、手摺部材２０を上方に引き上げてロックを解き、矢印方向に略９０°回動して、鎖線位置（第２の位置）に移動し、この状態で、手を放すと、手摺部材２０は、後述するように、自動的にその位置にロックされる。
【００１１】
上述のように、手摺部材２０の水平部２０２を、図中に鎖線にて示す第２の位置にした状態で、かつ、患者を寝状態にした状態で、歯科治療を行うが、歯科治療の途中で、時々、治療椅子１を起状態にして、洗口（うがい）等を行うが、その際、手摺部材２０の水平部２０２は、前述のように、図中に鎖線にて示す位置にあるので、患者は、この水平部２０２に掴まってうがいをすることができ、安定した状態で、安心してうがいをすることができる。
【００１２】
図２は、前記手摺部材２０の取り付け機構を説明するための図で、図中、３０は治療椅子１に固定された円筒体で、該円筒体３０内に手摺部材２０の垂直部下端が挿入されるようになっている。３１は該円筒体３０内に配設されたスプリング部材で、該スプリング部材３１によって、手摺部材２０に該手摺部材２０を下方へ押し下げる力を与えている。３２は手摺部材２０の垂直部２０1に設けられた案内溝２１と協働して該手摺部材２０を前記第１及び第２の位置の間で回動可能に案内しかつ該第１の位置及び第２の位置に回動不可に固定するピンである。
【００１３】
図３は、図２に示した手摺部材２０の前記案内溝２１を詳細に示す拡大図で、前記案内溝２１は、図３に示すように、垂直案内溝部２１１，２１２と、これら垂直案内溝部２１１，２１２の下端部を連結する水平案内溝部２１３とからなり、垂直案内溝部２１１と２１２との間は略９０°離れている。従って、前記ピン３２が垂直案内溝２１１と係合している時は、前記手摺部材２０の水平部２０２は、図１に実線にて示した第１の位置にあり、垂直案内溝２１２と係合している時は、図１に鎖線にて示した第２の位置にあり、これら両位置で、回動不可に固定（ロック）されている。このロック状態で、手摺部材２０を引き上げると、ピン３２は水平溝２１３と係合し、この状態で、該手摺部材２０を他のロック位置へ回動することができる。
【００１４】
【発明の効果】
以上の説明から明らかなように、本発明によると、身障者，老人等、身体の不自由な患者に対して、安心して乗降でき、しかも、安心してうがいのできる治療椅子を提供できる。更に、手摺部材は、上方に引き上げて回動するようになっているので、該手摺部材に掴まった時に、該手摺部材を押し下げるような力を加えてしまっても、該手摺部材は全く移動しないので、安心して手摺部材に掴まることができる。
【図面の簡単な説明】
【図１】本発明による歯科用治療ユニットの一実施例を説明するための要部概略構成図である。
【図２】手摺部材の固定機構の一例を説明するための図である。
【図３】手摺部材に設けられた案内溝の例を示す拡大図である。
【図４】本発明が適用される歯科用治療ユニットの一例を説明するための図である。
【符号の説明】
１…歯科治療椅子、１１…レッグレスト、３…スピットン、２０…手摺部材、２０１…手摺部材２０の垂直部、２０２…手摺部材２０の水平部、２１…案内溝、３０…手摺部材支持筒、３１…スプリング、３２…ピン。
【図１】
0003580671.tif 000002
【図２】
0003580671.tif 000003
【図３】
0003580671.tif 000004
【図４】
0003580671.tif 000005